(57)【要約】【課題】デジタル放送特有のレイティング情報が付加された番組の映像音声データをアナログ式のデータとして記憶媒体に記憶するに際し、より確実に視聴制限することができるテレビジョン放送記録装置を提供する。【解決手段】テレビジョン放送記録装置１００において、ＣＰＵ１４に、検出部５を制御して、番組のテレビジョン放送信号から、当該番組の視聴制限レベルに関するレイティング情報を検出させるレイティング情報検出プログラム１６Ｄと、検出したレイティング情報の種別を判断させるレイティング情報種別判断プログラム１６Ｅと、番組のレイティング情報が、アナログ放送のレイティング情報と異なるデジタル放送特有のレイティング情報であると判断した場合に、当該番組の映像音声データの記憶媒体への記憶を禁止するように記録再生部１１を制御する録画制御プログラム１６Ｈと、を備えた。【選択図】図２
2008103932.tif 000002
【特許請求の範囲】
【請求項１】
デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記記憶手段により前記記憶媒体に記憶させる予約番組を指定する指定手段と、
前記指定手段により指定された予約番組の予約情報をＥＰＧ（Electric  Program  Guide）データから取得して予約記憶手段に記憶させる予約手段と、
前記指定手段により指定された予約番組の視聴制限レベルに関するレイティング情報をＥＰＧデータから取得する取得手段と、
前記取得手段により取得されたレイティング情報の種別を判断するレイティング情報種別判断手段と、
前記レイティング情報種別判断手段により、前記指定手段により指定された番組のレイティング情報が、アナログ放送のレイティング情報と異なるデジタル放送特有のレイティング情報であると判断された場合に、所定の警告表示を表示部に表示させる表示制御手段と、
暗証情報を入力するための入力手段と、
暗証情報を予め記憶する暗証情報記憶手段と、
を備え、
前記予約手段は、
前記レイティング情報種別判断手段により、前記指定手段に指定された番組のレイティング情報が、アナログ放送のレイティング情報と異なるデジタル放送特有のレイティング情報であると判断された場合に、前記入力手段により入力された暗証情報が前記暗証情報記憶手段に記憶されている暗証情報と一致した場合にのみ、当該番組の予約情報を前記予約記憶手段に記憶させることを特徴とするテレビジョン放送記録装置。
【請求項２】
デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記受信手段により受信された番組のテレビジョン放送信号から、当該番組の視聴制限レベルに関するレイティング情報を検出する検出手段と、
前記検出手段に検出されたレイティング情報の種別を判断するレイティング情報種別判断手段と、
前記レイティング情報種別判断手段により、前記番組のレイティング情報が、アナログ放送のレイティング情報と異なるデジタル放送特有のレイティング情報であると判断された場合に、当該番組の映像音声データの記憶媒体への記憶を禁止するように前記記憶手段を制御する記憶制御手段と、
を備えることを特徴とするテレビジョン放送記録装置。
【請求項３】
前記レイティング情報種別判断手段により、前記検出手段により検出された番組のレイティング情報が、アナログ放送のレイティング情報と異なるデジタル放送特有のレイティング情報であると判断された場合に、所定の警告表示を表示部に表示させる表示制御手段を備えることを特徴とする請求項２に記載のテレビジョン放送記録装置。
【請求項４】
デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記記憶手段により前記記憶媒体に記憶させる予約番組を指定する指定手段と、
前記指定手段により指定された予約番組の予約情報をＥＰＧ（Electric  Program  Guide）データから取得して予約記憶手段に記憶させる予約手段と、
前記指定手段により指定された予約番組の視聴制限レベルに関するレイティング情報をＥＰＧデータから取得する取得手段と、
前記取得手段により取得されたレイティング情報の種別を判断するレイティング情報種別判断手段と、を備え、
前記予約手段は、
前記レイティング情報種別判断手段により、前記指定手段により指定された予約番組のレイティング情報が、アナログ放送のレイティング情報と異なるデジタル放送特有のレイティング情報であると判断された場合に、当該番組の予約情報を前記予約記憶手段に記憶しないことを特徴とするテレビジョン放送記録装置。
【請求項５】
前記レイティング情報種別判断手段により、前記指定手段により指定された番組のレイティング情報が、アナログ放送のレイティング情報と異なるデジタル放送特有のレイティング情報であると判断された場合に、所定の警告表示を表示部に表示させる表示制御手段を備えることを特徴とする請求項４に記載のテレビジョン放送記録装置。
【請求項６】
暗証情報を入力するための入力手段と、
暗証情報を予め記憶する暗証情報記憶手段と、
を備え、
前記予約手段は、
前記レイティング情報種別判断手段により、前記指定手段に指定された番組のレイティング情報が、アナログ放送のレイティング情報と異なるデジタル放送特有のレイティング情報であると判断された場合に、前記入力手段により入力された暗証情報が前記暗証情報記憶手段に記憶されている暗証情報と一致した場合にのみ、当該番組の予約情報を前記予約記憶手段に記憶させることを特徴とする請求項４又は５に記載のテレビジョン放送記録装置。
【請求項７】
デジタル式のテレビジョン放送信号を受信する受信手段と、前記受信手段により受信された番組のテレビジョン放送信号に基づく映像音声データをアナログ式のデータとして記憶媒体に記憶する記憶手段と、を備えるテレビジョン放送記録装置において、
前記受信手段により受信された番組のテレビジョン放送信号から、当該番組の視聴制限レベルに関するレイティング情報を検出する検出手段と、
前記検出手段に検出されたレイティング情報の種別を判断するレイティング情報種別判断手段と、
前記レイティング情報種別判断手段により、番組のテレビジョン放送信号に含まれるレイティング情報が、アナログ放送のレイティング情報と異なるデジタル放送特有のレイティング情報であると判断された場合に、所定の基準に基づいて、前記デジタル放送特有のレイティング情報の視聴制限レベルに対応するアナログ式のレイティング情報の視聴制限レベルを判定する判定手段と、
前記判定手段により判定されたアナログ式のレイティング情報の視聴制限レベルの視聴制限情報を前記デジタル放送特有のレイティング情報が付加された番組の映像音声データに重畳する重畳手段と、
を備え、
前記記憶手段は、前記重畳手段により前記視聴制限情報が重畳された前記映像音声データを前記記憶媒体に記憶することを特徴とするテレビジョン放送記録装置。
【発明の詳細な説明】
【技術分野】
【０００１】
本発明は、テレビジョン放送記録装置に関する。
【背景技術】
【０００２】
従来、暴力的な表現のある番組や猥褻的な表現のある番組を子供が見ないようにするため、放送局側により番組の映像音声データに視聴制限レベルの情報（レイティング情報）を付加し、当該レイティング情報に基づいて、番組の視聴を制限するテレビジョン放送受信装置が知られている。
しかし、視聴制限を行うことのできるテレビジョン放送受信装置により受信された番組をＶＨＳやＤＶＤ等の記録媒体に記憶すると、視聴制限したい番組であっても当該ＶＨＳやＤＶＤを再生することにより視聴可能となってしまう。
そこで、レイティング情報の視聴制限レベルが所定レベル以上である場合には、ＶＨＳやＤＶＤ等の記録媒体への記憶を禁止するテレビジョン放送記録装置が知られている（例えば、特許文献１）。また、放送局側により設定されるレイティング情報とは別に、チャンネル番号，時間帯，ジャンル等の組み合わせにより視聴制限情報を作成して設定し、当該視聴制限情報に基づいて番組の視聴や記憶，再生を制限するテレビジョン放送記録装置も知られている（例えば、特許文献２）。
また、テレビジョン放送受信装置により受信された番組の映像音声データをＶＨＳやＤＶＤ等の記録媒体に記憶する記憶再生装置に、記憶する映像音声データにレイティング情報を重畳して記録媒体に記憶することにより視聴制限を行うものも知られている（例えば、特許文献３，４）。
【０００３】
また、ＨＤＤやＤＶＤ等の記録媒体への映像音声データの記憶の禁止を設定するとともに暗証番号を設定し、当該暗証番号を入力するユーザのみがＨＤＤやＤＶＤ等の記録媒体への映像音声データの記憶の禁止を解除できるようにした映像音声記録再生装置も知られている（例えば、特許文献５）。
また、表示部にＥＰＧデータを表示することができるテレビジョン放送受信装置も知られている（例えば、特許文献６）。
【０００４】
ところで、従来、アナログ放送では、レイティング情報は番組の映像音声データの中に重畳されて含まれており、デジタル放送では、レイティング情報は番組の映像音声データとは別の付加データに含まれていたが、レイティング情報は、アナログ放送とデジタル放送とで全く同じものが使用されていた。
そして、デジタル放送の映像音声データをアナログ式の映像音声データとしてＨＤＤやＤＶＤ等の記録媒体に記憶させる場合、デジタル放送に含まれる付加データ中のレイティング情報を参照して、該当する視聴制限情報を映像音声データに重畳させて記憶させていた。
【特許文献１】特開２０００−１１５６８０号公報
【特許文献２】特開２００１−１４５０３３号公報
【特許文献３】特開２００６−１４０６７８号公報
【特許文献４】特開平１０−９３９５２号公報
【特許文献５】特開２００６−１４９７１７号公報
【特許文献６】特開２０００−５０１２７３号公報
【発明の開示】
【発明が解決しようとする課題】
【０００５】
しかしながら、新たに、デジタル放送では、従来のアナログ式のレイティング情報とは異なるデジタル放送に特有のレイティング情報（例えば、米国におけるV-Chip2.0など）が付加されることとなった。そして、当該デジタル放送に特有のレイティング情報は、アナログ放送のレイティング情報と異なるため、デジタル放送受信装置で受信した番組の映像音声データを記録再生装置においてアナログデータに変換してＶＨＳやＤＶＤ等の記録媒体に記憶させると、当該記録再生装置では新たなレイティング情報を認識することができないため、視聴制限したい番組であっても視聴制限情報が重畳されずに映像音声データが記録媒体に記憶されることとなってしまう。
上記特許文献１，３，４に記載の発明は、デジタル放送のレイティング情報がアナログ放送のレイティング情報と同じ場合にのみ有効であるため、当該問題を解決することができない。
また、特許文献２に記載の発明は、放送局側が設定するレイティング情報とは別に視聴制限情報を設けるものであるため、ユーザ独自の視聴制限を設定可能だが、放送局側の意図が正しく反映されないという問題がある。
また、特許文献５，６に記載の発明は、レイティング情報に関するものではないため、上記問題を解決することはできない。
【０００６】
本発明の課題は、デジタル放送特有のレイティング情報が付加された番組の映像音声データをアナログ式のデータとして記憶媒体に記憶するに際し、より確実に視聴制限することができるテレビジョン放送記録装置を提供することである。
【課題を解決するための手段】
【０００７】
請求項１に記載の発明は、デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記記憶手段により前記記憶媒体に記憶させる予約番組を指定する指定手段と、
前記指定手段により指定された予約番組の予約情報をＥＰＧ（Electric  Program  Guide）データから取得して予約記憶手段に記憶させる予約手段と、
前記指定手段により指定された予約番組の視聴制限レベルに関するレイティング情報をＥＰＧデータから取得する取得手段と、
前記取得手段により取得されたレイティング情報の種別を判断するレイティング情報種別判断手段と、
前記レイティング情報種別判断手段により、前記指定手段により指定された番組のレイティング情報が、アナログ放送のレイティング情報と異なるデジタル放送特有のレイティング情報であると判断された場合に、所定の警告表示を表示部に表示させる表示制御手段と、
暗証情報を入力するための入力手段と、
暗証情報を予め記憶する暗証情報記憶手段と、
を備え、
前記予約手段は、
前記レイティング情報種別判断手段により、前記指定手段に指定された番組のレイティング情報が、アナログ放送のレイティング情報と異なるデジタル放送特有のレイティング情報であると判断された場合に、前記入力手段により入力された暗証情報が前記暗証情報記憶手段に記憶されている暗証情報と一致した場合にのみ、当該番組の予約情報を前記予約記憶手段に記憶させることを特徴としている。
【０００８】
請求項２に記載の発明は、デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記受信手段により受信された番組のテレビジョン放送信号から、当該番組の視聴制限レベルに関するレイティング情報を検出する検出手段と、
前記検出手段に検出されたレイティング情報の種別を判断するレイティング情報種別判断手段と、
前記レイティング情報種別判断手段により、前記番組のレイティング情報が、アナログ放送のレイティング情報と異なるデジタル放送特有のレイティング情報であると判断された場合に、当該番組の映像音声データの記憶媒体への記憶を禁止するように前記記憶手段を制御する記憶制御手段と、
を備えることを特徴としている。
【０００９】
請求項３に記載の発明は、請求項２に記載のテレビジョン放送記録装置において、
前記レイティング情報種別判断手段により、前記検出手段により検出された番組のレイティング情報が、アナログ放送のレイティング情報と異なるデジタル放送特有のレイティング情報であると判断された場合に、所定の警告表示を表示部に表示させる表示制御手段を備えることを特徴としている。
【００１０】
請求項４に記載の発明は、デジタル式のテレビジョン放送信号を受信する受信手段と、前記受信手段により受信されたテレビジョン放送信号に基づく番組の映像音声データをアナログ式のデータとして記憶媒体に記憶する記憶手段と、を備えるテレビジョン放送記録装置において、
前記記憶手段により前記記憶媒体に記憶させる予約番組を指定する指定手段と、
前記指定手段により指定された予約番組の予約情報をＥＰＧ（Electric  Program  Guide）データから取得して予約記憶手段に記憶させる予約手段と、
前記指定手段により指定された予約番組の視聴制限レベルに関するレイティング情報をＥＰＧデータから取得する取得手段と、
前記取得手段により取得されたレイティング情報の種別を判断するレイティング情報種別判断手段と、を備え、
前記予約手段は、
前記レイティング情報種別判断手段により、前記指定手段により指定された予約番組のレイティング情報が、アナログ放送のレイティング情報と異なるデジタル放送特有のレイティング情報であると判断された場合に、当該番組の予約情報を前記予約記憶手段に記憶しないことを特徴としている。
【００１１】
請求項５に記載の発明は、請求項４に記載のテレビジョン放送記録装置において、
前記レイティング情報種別判断手段により、前記指定手段により指定された番組のレイティング情報が、アナログ放送のレイティング情報と異なるデジタル放送特有のレイティング情報であると判断された場合に、所定の警告表示を表示部に表示させる表示制御手段を備えることを特徴としている。
【００１２】
請求項６に記載の発明は、請求項４又は５に記載のテレビジョン放送記録装置において、
暗証情報を入力するための入力手段と、
暗証情報を予め記憶する暗証情報記憶手段と、
を備え、
前記予約手段は、
前記レイティング情報種別判断手段により、前記指定手段に指定された番組のレイティング情報が、アナログ放送のレイティング情報と異なるデジタル放送特有のレイティング情報であると判断された場合に、前記入力手段により入力された暗証情報が前記暗証情報記憶手段に記憶されている暗証情報と一致した場合にのみ、当該番組の予約情報を前記予約記憶手段に記憶させることを特徴としている。
【００１３】
請求項７に記載の発明は、デジタル式のテレビジョン放送信号を受信する受信手段と、前記受信手段により受信された番組のテレビジョン放送信号に基づく映像音声データをアナログ式のデータとして記憶媒体に記憶する記憶手段と、を備えるテレビジョン放送記録装置において、
前記受信手段により受信された番組のテレビジョン放送信号から、当該番組の視聴制限レベルに関するレイティング情報を検出する検出手段と、
前記検出手段に検出されたレイティング情報の種別を判断するレイティング情報種別判断手段と、
前記レイティング情報種別判断手段により、番組のテレビジョン放送信号に含まれるレイティング情報が、アナログ放送のレイティング情報と異なるデジタル放送特有のレイティング情報であると判断された場合に、所定の基準に基づいて、前記デジタル放送特有のレイティング情報の視聴制限レベルに対応するアナログ式のレイティング情報の視聴制限レベルを判定する判定手段と、
前記判定手段により判定されたアナログ式のレイティング情報の視聴制限レベルの視聴制限情報を前記デジタル放送特有のレイティング情報が付加された番組の映像音声データに重畳する重畳手段と、
を備え、
前記記憶手段は、前記重畳手段により前記視聴制限情報が重畳された前記映像音声データを前記記憶媒体に記憶することを特徴としている。
【発明の効果】
【００１４】
請求項１に記載の発明によれば、指定手段により、記憶手段によって記憶媒体に記憶させる予約番組が指定され、予約手段により、指定手段によって指定された予約番組の予約情報がＥＰＧ（Electric  Program  Guide）データから取得されて予約記憶手段に記憶され、取得手段により、指定手段によって指定された予約番組の視聴制限レベルに関するレイティング情報がＥＰＧデータから取得され、レイティング情報種別判断手段により、取得手段によって取得されたレイティング情報の種別が判断され、予約手段により、レイティング情報種別判断手段によって、指定手段によって指定された予約番組のレイティング情報が、アナログ放送のレイティング情報と異なるデジタル放送特有のレイティング情報であると判断された場合に、当該番組の予約情報を予約記憶手段に記憶されないので、アナログ放送のレイティング情報と異なるデジタル放送特有のレイティング情報が付加された番組の予約情報は予約記憶手段に記憶されないこととなって、視聴制限情報が重畳されることなく、アナログ放送のレイティング情報と異なるデジタル放送特有のレイティング情報が付加された番組の映像音声データが記憶媒体に記憶されることを防ぐことができ、デジタル放送特有のレイティング情報が付加された番組の映像音声データをアナログ式のデータとして記憶媒体に記憶するに際し、より確実に視聴制限することができる。
【００１５】
また、表示制御手段により、レイティング情報種別判断手段によって、指定手段によって指定された番組のレイティング情報が、アナログ放送のレイティング情報と異なるデジタル放送特有のレイティング情報であると判断された場合に、所定の警告表示が表示部に表示されるので、アナログ放送のレイティング情報と異なるデジタル放送特有のレイティング情報が付加された番組の予約情報が予約記憶手段に記憶されない場合であっても、表示部に表示された所定の警告表示を視認することで、故障と誤認することを防ぐことができる。
【００１６】
また、入力手段により、暗証情報が入力され、暗証番号記憶手段により、暗証情報が予め記憶され、予約手段により、レイティング情報種別判断手段によって、指定手段に指定された番組のレイティング情報が、アナログ放送のレイティング情報と異なるデジタル放送特有のレイティング情報であると判断された場合に、入力手段によって入力された暗証情報が暗証情報記憶手段に記憶されている暗証情報と一致した場合にのみ、当該番組の予約情報を予約記憶手段に記憶されるので、暗証番号を入力できる者は、アナログ放送のレイティング情報と異なるデジタル放送特有のレイティング情報が付加された番組であっても予約できることとなって、より使い勝手がよい。
【００１７】
請求項２に記載の発明によれば、検出手段により、受信手段によって受信された番組のテレビジョン放送信号から、当該番組の視聴制限レベルに関するレイティング情報が検出され、レイティング情報種別判断手段により、検出手段に検出されたレイティング情報の種別が判断され、記憶制御手段により、レイティング情報種別判断手段によって、番組のレイティング情報が、アナログ放送のレイティング情報と異なるデジタル放送特有のレイティング情報であると判断された場合に、当該番組の映像音声データの記憶媒体への記憶を禁止するように記憶手段が制御されるので、アナログ放送のレイティング情報と異なるデジタル放送特有のレイティング情報が付加された番組の映像音声データは記憶媒体へ記憶されないこととなって、視聴制限情報が重畳されることなく、アナログ放送のレイティング情報と異なるデジタル放送特有のレイティング情報が付加された番組の映像音声データが記憶媒体に記憶されることを防ぐことができ、デジタル放送特有のレイティング情報が付加された番組の映像音声データをアナログ式のデータとして記憶媒体に記憶するに際し、より確実に視聴制限することができる。
【００１８】
請求項３に記載の発明によれば、請求項２に記載の発明と同様の効果が得られることは勿論のこと、特に、表示制御手段により、レイティング情報種別判断手段によって、検出手段によって検出された番組のレイティング情報が、アナログ放送のレイティング情報と異なるデジタル放送特有のレイティング情報であると判断された場合に、所定の警告表示が表示部に表示されるので、アナログ放送のレイティング情報と異なるデジタル放送特有のレイティング情報が付加された番組の映像音声データが記憶手段に記憶されない場合であっても、表示部に表示された所定の警告表示を視認することで、故障と誤認することを防ぐことができる。
【００１９】
請求項４に記載の発明によれば、指定手段により、記憶手段によって記憶媒体に記憶させる予約番組が指定され、予約手段により、指定手段によって指定された予約番組の予約情報がＥＰＧ（Electric  Program  Guide）データから取得されて予約記憶手段に記憶され、取得手段により、指定手段によって指定された予約番組の視聴制限レベルに関するレイティング情報がＥＰＧデータから取得され、レイティング情報種別判断手段により、取得手段によって取得されたレイティング情報の種別が判断され、予約手段により、レイティング情報種別判断手段によって、指定手段によって指定された予約番組のレイティング情報が、アナログ放送のレイティング情報と異なるデジタル放送特有のレイティング情報であると判断された場合に、当該番組の予約情報を予約記憶手段に記憶されないので、アナログ放送のレイティング情報と異なるデジタル放送特有のレイティング情報が付加された番組の予約情報は予約記憶手段に記憶されないこととなって、視聴制限情報が重畳されることなく、アナログ放送のレイティング情報と異なるデジタル放送特有のレイティング情報が付加された番組の映像音声データが記憶媒体に記憶されることを防ぐことができ、デジタル放送特有のレイティング情報が付加された番組の映像音声データをアナログ式のデータとして記憶媒体に記憶するに際し、より確実に視聴制限することができる。
【００２０】
請求項５に記載の発明によれば、請求項４に記載の発明と同様の効果が得られることは勿論のこと、特に、表示制御手段により、レイティング情報種別判断手段によって、指定手段によって指定された番組のレイティング情報が、アナログ放送のレイティング情報と異なるデジタル放送特有のレイティング情報であると判断された場合に、所定の警告表示が表示部に表示されるので、アナログ放送のレイティング情報と異なるデジタル放送特有のレイティング情報が付加された番組の予約情報が予約記憶手段に記憶されない場合であっても、表示部に表示された所定の警告表示を視認することで、故障と誤認することを防ぐことができる。
【００２１】
請求項６に記載の発明によれば、請求項４又は５に記載の発明と同様の効果が得られることは勿論のこと、特に、入力手段により、暗証情報が入力され、暗証番号記憶手段により、暗証情報が予め記憶され、予約手段により、レイティング情報種別判断手段によって、指定手段に指定された番組のレイティング情報が、アナログ放送のレイティング情報と異なるデジタル放送特有のレイティング情報であると判断された場合に、入力手段によって入力された暗証情報が暗証情報記憶手段に記憶されている暗証情報と一致した場合にのみ、当該番組の予約情報を予約記憶手段に記憶されるので、暗証番号を入力できる者は、アナログ放送のレイティング情報と異なるデジタル放送特有のレイティング情報が付加された番組であっても予約できることとなって、より使い勝手がよい。
【００２２】
請求項７に記載の発明によれば、検出手段により、受信手段によって受信された番組のテレビジョン放送信号から、当該番組の視聴制限レベルに関するレイティング情報が検出され、レイティング情報種別判断手段により、検出手段に検出されたレイティング情報の種別が判断され、判定手段により、レイティング情報種別判断手段によって、番組のテレビジョン放送信号に含まれるレイティング情報が、アナログ放送のレイティング情報と異なるデジタル放送特有のレイティング情報であると判断された場合に、所定の基準に基づいて、デジタル放送特有のレイティング情報の視聴制限レベルに対応するアナログ式のレイティング情報の視聴制限レベルが判定され、重畳手段により、判定手段によって判定されたアナログ式のレイティング情報の視聴制限レベルの視聴制限情報がデジタル放送特有のレイティング情報が付加された番組の映像音声データに重畳され、記憶手段により、重畳手段によって視聴制限情報が重畳された映像音声データが記憶媒体に記憶されるので、アナログ放送のレイティング情報と異なるデジタル放送特有のレイティング情報が付加された番組の映像音声データであっても視聴制限情報が重畳されて記憶媒体に記憶できることとなって、デジタル放送特有のレイティング情報が付加された番組の映像音声データをアナログ式のデータとして記憶媒体に記憶するに際し、より確実に視聴制限することができる。
【発明を実施するための最良の形態】
【００２３】
以下、図を参照して、本発明に係るテレビジョン放送記録装置を実施するための最良の形態を詳細に説明する。
【００２４】
（第１の実施形態）
まず、本発明の第１の実施形態に係るテレビジョン放送記録装置１００の構成について図１，図２を参照しながら説明する。本実施形態の第１の実施形態に係るテレビジョン放送記録装置１００は、例えば、図１，図２に示すように、アンテナ１，チューナ部２，復調部３，デコーダ４，検出部５，音声処理部６，映像処理部７，音出力部８，表示部９，Ｄ／Ａ変換部１０，記録再生部１１，リモコン受信回路１２，リモコンＲ１，制御部１３等を備えて構成されている。
【００２５】
アンテナ１は、例えば、パラボラアンテナやＵＨＦアンテナ等であり、地上波アナログ放送，地上波デジタル放送，ＢＳ・ＣＳ放送等のテレビジョン放送信号を含む放送波を受信し、地上波アナログ信号，地上波デジタル信号，ＢＳ・ＣＳ放送信号等のＲＦ信号をチューナ部２に出力する。これにより、アンテナ１は、受信手段として機能する。なお、ＣＡＴＶ回線を介して放送波を受信する場合には、接続ケーブル（図示省略）等が備えられてもよい。
【００２６】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタルデータに変換される。
【００２７】
復調部３は、例えば、チューナ部２から入力されるデジタルデータに復調処理等を行って、デコーダ４に出力する。
【００２８】
デコーダ４は、例えば、復調部３から入力されるデジタルデータに復号処理等を行って番組の映像音声データ（映像データ及び音声データ）と当該映像音声データに付加されているレイティング情報とを生成し、検出部５に出力する。ここで、レイティング情報とは、番組の視聴制限レベルに関する情報である。
より具体的には、従来のレイティング情報としては、例えば、ＭＰＡＡ（Motion  Picture  Association  of  America）により定められるもの、TV  Parental  Guidelinesにより定められるもの等が知られている。そして、これらのレイティング情報は、例えば、年齢により各番組の視聴制限レベルを表すものと、番組の内容により各番組の視聴制限レベルを表すものとがあり、アナログ式のテレビジョン放送とデジタル式のテレビジョン放送の両方に使用されていた。
また、新たに、デジタル放送に特有のレイティング情報（例えば、米国におけるV-Chip2.0など）が制定された。デジタル放送に特有のレイティング情報は、従来のレイティング情報とは異なり、番組のジャンル等により定められるレイティング項目と、各レイティング項目毎に定められるレイティングレベルと、により、各番組の視聴制限レベルを表す。
【００２９】
検出部５は、制御部１３から入力される制御信号により制御されて、デコーダ４から出力される映像音声データに付加されているレイティング情報を検出し、検出手段として機能する。
【００３０】
音声処理部６は、例えば、ミュート回路（図示省略）等を備えて構成され、制御部１３から入力される制御信号により制御されて、デコーダ４から出力される音声データに対して、ミュート処理等を行う。
【００３１】
映像処理部７は、例えば、ミュート回路（図示省略）等を備えて構成され、制御部１３から入力される制御信号により制御されて、デコーダ４から出力される映像データに対して、ミュート処理等を行う。また、映像処理部７は、例えば、制御部１３から入力される制御信号により制御されて、表示部９に所定の警告表示を表示させるためのＯＳＤ表示データをデコーダ４から出力される映像データに合成する。
【００３２】
音出力部８は、例えば、スピーカ等を備えて構成され、音声処理部６から出力される音声データに基づく音声を出力する。
【００３３】
表示部９は、例えば、ＬＣＤ（Liquid  Crystal  Display）やＰＤＰ（Plasma  Display  Panel）等を備えて構成され、映像処理部７から出力される映像データに基づく映像を表示する。
【００３４】
Ｄ／Ａ変換部１０は、例えば、デコーダ４から入力される映像音声データ及びレイティング情報をデジタルアナログ変換して、記録再生部１１に出力する。
【００３５】
記録再生部１１は、例えば、ＤＶＤやＶＨＳ等の記憶媒体の記録再生装置であって、Ｄ／Ａ変換部１０から入力される映像音声データ及びレイティング情報を記憶媒体に記憶させるとともに、記憶媒体に記憶されている映像音声データを再生する。これにより。記録再生部１１は、記憶手段，再生手段として機能する。
【００３６】
リモコン受信回路１２は、例えば、リモコンＲ１から出力された操作信号を制御部１３に出力する。より具体的には、リモコン受信回路１２は、リモコンＲ１からの赤外線信号を電気信号に変換し、制御部１３に出力する。
【００３７】
リモコンＲ１は、例えば、各種の操作信号を入力するための各種のキー等を備え、ユーザにより操作されることによって、各種の操作信号をリモコン受信回路１２を介して制御部１３に出力する。
【００３８】
制御部１３は、例えば、図２に示すように、ＣＰＵ（Central  Processing  Unit）１４，ＲＡＭ（Random  Access  Memory）１５，記憶部１６等を備えて構成される。
【００３９】
ＣＰＵ１４は、例えば、記憶部１６に格納された処理プログラム等を読み出して、ＲＡＭ１５に展開して実行することにより、テレビジョン放送記録装置１００全体の制御を行う。
【００４０】
ＲＡＭ１５は、ＣＰＵ１４により実行された処理プログラム等を、ＲＡＭ１５内のプログラム格納領域に展開するとともに、入力データや上記処理プログラムが実行される際に生じる処理結果等をデータ格納領域に格納する。
【００４１】
記憶部１６は、例えば、プログラムやデータ等が予め記憶されている記録媒体（図示せず）を有しており、この記録媒体は、例えば、半導体メモリ等で構成されている。また、記憶部１６は、ＣＰＵ１４がテレビジョン放送記録装置１００全体を制御する機能を実現させるための各種データ，各種処理プログラム，これらプログラムの実行により処理されたデータ等を記憶する。より具体的には、記憶部１６は、例えば、図２に示すように、レイティング設定データファイル１６Ａ，設定判断プログラム１６Ｂ，放送種別判断プログラム１６Ｃ，レイティング情報検出プログラム１６Ｄ，レイティング情報種別判断プログラム１６Ｅ，視聴制限情報重畳プログラム１６Ｆ，表示制御プログラム１６Ｇ，録画制御プログラム１６Ｈ等を格納している。
【００４２】
レイティング設定データファイル１６Ａは、例えば、当該テレビジョン放送記録装置１００において視聴を制限する視聴制限レベルのレイティング情報を記憶している。
【００４３】
設定判断プログラム１６Ｂは、例えば、ＣＰＵ１４に、レイティング設定データファイル１６Ａに当該テレビジョン放送記録装置１００において視聴を制限する視聴制限レベルのレイティング情報が記憶されているか否かを判断することにより、視聴制限設定がされているか否かを判断する機能を実現させるプログラムである。
【００４４】
放送種別判断プログラム１６Ｃは、例えば、ＣＰＵ１４に、アンテナ１により受信され、デコーダ４により復号化された番組のテレビジョン放送信号に含まれる番組情報を参照して、当該番組がデジタル放送によるものか否かを判断する機能を実現させるプログラムである。
【００４５】
レイティング情報検出プログラム１４Ｂは、例えば、ＣＰＵ１４に、検出部５を制御して、アンテナ１により受信された番組のテレビジョン放送信号からレイティング情報を検出させる機能を実現させるプログラムである。より具体的には、レイティング情報検出プログラム１４Ｂは、検出部５により、番組のテレビジョン放送信号にレイティング情報が含まれているか否かを判断する機能を実現させるプログラムである。ＣＰＵ１４は、かかるレイティング情報検出手段を実行することにより、検出部５とともに、検出手段として機能する。
【００４６】
レイティング情報種別判断プログラム１６Ｅは、例えば、ＣＰＵ１４に、検出部５により検出されたレイティング情報の種別を判断する機能を実現させるプログラムである。より具体的には、レイティング情報種別判断プログラム１６Ｅは、例えば、ＣＰＵ１４に、検出部５により検出されたレイティング情報の名前，バージョンの有無等に基づいて、当該レイティング情報がアナログ放送のレイティング情報と異なるデジタル放送に特有のレイティング情報か否かを判断する機能を実現させるプログラムである。ＣＰＵ１４は、かかるレイティング情報種別判断プログラム１６Ｅを実行することにより、レイティング情報種別判断手段として機能する。
【００４７】
視聴制限情報重畳プログラム１６Ｆは、例えば、ＣＰＵ１４に、放送種別判断プログラム１６Ｃを実行することにより、デコーダ４により復号された番組のテレビジョン放送信号に含まれる番組情報を参照して、当該番組がデジタル放送によるものと判断し、レイティング情報種別判断プログラム１６Ｅを実行することにより、当該番組のテレビジョン放送信号に含まれるレイティング情報の種別がアナログ放送のレイティング情報と同じであると判断した場合に、当該レイティング情報に対応する視聴制限情報を当該映像音声データに重畳させる機能を実現させるプログラムである。
【００４８】
表示制御プログラム１６Ｇは、例えば、ＣＰＵ１４に、レイティング情報種別判断プログラム１６Ｅを実行することにより、番組のテレビジョン放送信号に含まれるレイティング情報の種別がアナログ放送のレイティング情報と異なるデジタル放送特有のものであると判断した場合に、表示部９を制御して、所定の警告表示を表示させる機能を実現させるプログラムである。ここで、所定の警告表示とは、例えば、「この番組は視聴制限機能により録画することはできません」等の表示である。ＣＰＵ１４は、かかる表示制御プログラム１６Ｇを実行することにより、表示制御手段として機能する。
【００４９】
録画制御プログラム１６Ｈは、例えば、ＣＰＵ１４に、設定判断プログラム１６Ｂを実行することにより、視聴制限設定されていないと判断した場合、放送種別判断プログラム１６Ｃを実行することにより、番組がアナログ放送によるものと判断した場合、及び、レイティング情報検出プログラム１６Ｄを実行することにより、番組のテレビジョン放送信号にレイティング情報が含まれていないと判断した場合に、当該番組の映像音声データを記録媒体への記憶させるように、記録再生部１１を制御する機能を実現させるプログラムである。
また、録画制御プログラム１６Ｈは、例えば、ＣＰＵ１４に、レイティング情報種別判断プログラム１６Ｅを実行することにより、番組のテレビジョン放送信号に含まれるレイティング情報の種別がアナログ放送のレイティング情報と同じであると判断した場合に、視聴制限情報重畳プログラム１６Ｆを実行することによって視聴制限情報を重畳した番組の映像音声データを記録媒体への記憶させるように、記録再生部１１を制御する機能を実現させるプログラムである。
また、録画制御プログラム１６Ｈは、例えば、ＣＰＵ１４に、レイティング情報種別判断プログラム１６Ｅを実行することにより、番組のテレビジョン放送信号に含まれるレイティング情報の種別がアナログ放送のレイティング情報と異なるデジタル放送特有のものであると判断した場合に、当該番組の映像音声データの記録媒体への記憶を禁止するように、記録再生部１１を制御する機能を実現させるプログラムである。
ＣＰＵ１４は、かかる録画制御プログラム１６Ｈを実行することにより、記憶制御手段として機能する。
【００５０】
次に、上述のような構成のテレビジョン放送記録装置１００の映像音声データの記憶媒体への記憶動作について図３に示すフローチャートを参照しながら説明する。
まず、ＣＰＵ１４は、設定判断プログラム１６Ｂを実行することにより、レイティング設定データファイル１６Ａに当該テレビジョン放送記録装置１００において視聴を制限する視聴制限レベルのレイティング情報が記憶されているか否かを判断することにより、視聴制限設定がされているか否かを判断する（ステップＳ１）。
【００５１】
ステップＳ１において、ＣＰＵ１４が、視聴制限設定がされていないと判断した場合には（ステップＳ１；Ｎｏ）、ステップＳ６に進む。
ステップＳ１において、ＣＰＵ１４が、視聴制限設定がされていると判断した場合には（ステップＳ１；Ｙｅｓ）、ＣＰＵ１４は、放送種別判断プログラム１６Ｃを実行することにより、アンテナ１により受信され、デコーダ４により復号された番組のテレビジョン放送信号に含まれる番組情報を参照して、当該番組がデジタル放送によるものか否かを判断する（ステップＳ２）。
【００５２】
ステップＳ２において、ＣＰＵ１４が、アンテナ１により受信された番組がアナログ放送によるものと判断した場合には（ステップＳ２；Ｎｏ）、ステップＳ６に進む。
ステップＳ２において、ＣＰＵ１４が、アンテナ１により受信された番組がデジタル放送によるものと判断した場合には（ステップＳ２；Ｙｅｓ）、ＣＰＵ１４は、レイティング情報検出プログラム１６Ｄを実行することにより、検出部５を制御して、番組の映像音声データにレイティング情報が付加されているか否かを判断する（ステップＳ３）。
【００５３】
ステップＳ３において、ＣＰＵ１４が、番組の映像音声データにレイティング情報が付加されていないと判断した場合には（ステップＳ３；Ｎｏ）、ステップＳ６に進む。
ステップＳ３において、ＣＰＵ１４が、番組の映像音声データにレイティング情報が付加されていると判断した場合には（ステップＳ３；Ｙｅｓ）、ＣＰＵ１４は、レイティング情報種別判断プログラム１６Ｅを実行することにより、検出部５により検出されたレイティング情報の名前，バージョンの有無等に基づいて、当該レイティング情報がアナログ放送のレイティング情報と異なるデジタル放送に特有のレイティング情報か否かを判断する（ステップＳ４）。
【００５４】
ステップＳ４において、ＣＰＵ１４が、アンテナ１により受信された番組のテレビジョン放送信号に含まれるレイティング情報がデジタル放送に特有のものではないと判断した場合には（ステップＳ４；Ｎｏ）、ＣＰＵ１４は、視聴制限情報重畳プログラム１６Ｆを実行することにより、当該レイティング情報に対応する視聴制限情報を当該映像音声データに重畳させる（ステップＳ５）。
【００５５】
次に、ＣＰＵ１４は、録画制御プログラム１６Ｈを実行することにより、番組の映像音声データを記録媒体への記憶させるように、記録再生部１１を制御する（ステップＳ６）。
【００５６】
ステップＳ４において、ＣＰＵ１４が、アンテナ１により受信された番組のテレビジョン放送信号に含まれるレイティング情報がデジタル放送に特有のものであると判断した場合には（ステップＳ４；Ｙｅｓ）、ＣＰＵ１４は、表示制御プログラム１６Ｇを実行することにより、制御部９を制御して、例えば、「この番組は視聴制限機能により録画することはできません」等の所定の警告表示を表示させる（ステップＳ７）。
【００５７】
次に、ＣＰＵ１４は、録画制御プログラム１６Ｈを実行することにより、番組の映像音声データの記録媒体への記憶を禁止するように、記録再生部１１を制御する（ステップＳ８）。
【００５８】
以上に説明した本発明の第１の実施形態に係るテレビジョン放送記録装置１００によれば、ＣＰＵ１４がレイティング情報検出プログラム１６Ｄを実行することにより、検出部５が制御されて、アンテナ１によって受信された番組のテレビジョン放送信号から、当該番組の視聴制限レベルに関するレイティング情報が検出され、ＣＰＵ１４がレイティング情報種別判断プログラム１６Ｅを実行することにより、検出部５に検出されたレイティング情報の種別が判断され、ＣＰＵ１４が録画制御プログラム１６Ｈを実行することにより、レイティング情報種別判断プログラム１６Ｅを実行することによって、番組のレイティング情報が、アナログ放送のレイティング情報と異なるデジタル放送特有のレイティング情報であると判断された場合に、当該番組の映像音声データの記憶媒体への記憶を禁止するように記録再生部１１が制御されるので、アナログ放送のレイティング情報と異なるデジタル放送特有のレイティング情報が付加された番組の映像音声データは記憶媒体へ記憶されないこととなって、視聴制限情報が重畳されることなく、アナログ放送のレイティング情報と異なるデジタル放送特有のレイティング情報が付加された番組の映像音声データが記憶媒体に記憶されることを防ぐことができ、デジタル放送特有のレイティング情報が付加された番組の映像音声データをアナログ式のデータとして記憶媒体に記憶するに際し、より確実に視聴制限することができる。
【００５９】
また、ＣＰＵ１４が表示制御プログラム１６Ｇを実行することにより、レイティング情報種別判断プログラム１６Ｅを実行することによって、検出部５によって検出された番組のレイティング情報が、アナログ放送のレイティング情報と異なるデジタル放送特有のレイティング情報であると判断された場合に、所定の警告表示が表示部９に表示されるので、アナログ放送のレイティング情報と異なるデジタル放送特有のレイティング情報が付加された番組の映像音声データが記憶手段に記憶されない場合であっても、表示部９に表示された所定の警告表示を視認することで、故障と誤認することを防ぐことができる。
【００６０】
（第２の実施形態）
本発明の第２の実施形態に係るテレビジョン放送記録装置２００は、例えば、図４に示すように、記憶部１６０，リモコンＲ２の構成のみが第１の実施形態にかかるテレビジョン放送記録装置１００と異なるので、同一の構成については同一の符号を付すとともに、その説明を省略する。
【００６１】
リモコンＲ２は、例えば、各種の操作信号を入力するための各種のキー等を備え、ユーザにより操作されることによって、各種の操作信号をリモコン受信回路１２を介して制御部１３に出力する。
より具体的には、リモコンＲ２は、表示部９に表示されたＥＰＧ（Electric  Program  Guide）から番組を指定することにより、記録再生部１１により記憶媒体に記憶させる予約番組を指定するための操作信号を制御部１３に入力し、指定手段として機能する。
また、リモコンＲ２は、暗証情報としてのパスワードを制御部１３に入力し、入力手段として機能する。
【００６２】
記憶部１６０は、例えば、プログラムやデータ等が予め記憶されている記録媒体（図示せず）を有しており、この記録媒体は、例えば、半導体メモリ等で構成されている。また、記憶部１６０は、ＣＰＵ１４がテレビジョン放送記録装置２００全体を制御する機能を実現させるための各種データ，各種処理プログラム，これらプログラムの実行により処理されたデータ等を記憶する。より具体的には、記憶部１６０は、例えば、図４に示すように、レイティング設定データファイル１６Ａ，予約データファイル１６０Ａ，パスワードデータファイル１６０Ｂ，設定判断プログラム１６Ｂ，放送種別判断プログラム１６Ｃ，レイティング情報取得プログラム１６０Ｃ，レイティング情報種別判断プログラム１６０Ｄ，表示制御プログラム１６０Ｅ，パスワード入力プログラム１６０Ｆ，予約処理プログラム１６０Ｇ等を格納している。
【００６３】
予約データファイル１６０Ａは、例えば、記録再生部１１により記憶媒体に記憶させる予約番組の予約情報を記憶している。ここで、予約情報とは、例えば、当該予約番組の放送チャンネル，放送開始時間，放送終了時間等の情報である。記憶部１６０は、予約データファイル１６０Ａを格納することにより、予約記憶手段として機能する。
【００６４】
パスワードデータファイル１６０Ｂは、例えば、テレビジョン放送記録装置２００に予め設定されている暗証情報としてのパスワードを記憶している。当該パスワードは、テレビジョン放送記録装置２００の工場出荷時に設定されていてもよいし、ユーザにより予め設定されてもよい。
【００６５】
レイティング情報取得プログラム１６０Ｃは、例えば、ＣＰＵ１４に、リモコンＲ２によって指定された予約番組のレイティング情報をＥＰＧデータから取得する機能を実現させるプログラムである。より具体的には、レイティング情報取得プログラム１６０Ｃは、例えば、ＣＰＵ１４に、ＥＰＧデータを参照して、リモコンＲ２によって指定された予約番組にレイティング情報が付加されているか否かを判断し、予約番組にレイティング情報が付加されている場合に、当該レイティング情報をＥＰＧデータから取得する機能を実現させるプログラムである。ＣＰＵ１４は、かかるレイティング情報取得プログラム１６０Ｃを実行することにより、レイティング情報取得手段として機能する。
【００６６】
レイティング情報種別判断プログラム１６０Ｄは、例えば、ＣＰＵ１４に、レイティング情報取得プログラム１６０Ｃにより取得されたレイティング情報の種別を判断し、当該レイティング情報がアナログ放送のレイティング情報と異なるデジタル放送特有のレイティング情報か否かを判断する機能を実現させるプログラムである。ＣＰＵ１４は、かかるレイティング情報種別判断プログラム１６０Ｄを実行することにより、レイティング情報種別判断手段として機能する。
【００６７】
表示制御プログラム１６０Ｅは、例えば、ＣＰＵ１４に、レイティング情報種別判断プログラム１６０Ｄを実行することにより、リモコンＲ２によって指定された予約番組のレイティング情報がアナログ放送のレイティング情報と異なるデジタル放送特有のレイティング情報であると判断した場合に、所定の警告表示を表示部９に表示させる機能を実現させるプログラムである。ここで、所定の警告表示とは、例えば、「この番組を録画すると視聴制限機能が解除されます。よろしいですか？」等である。ＣＰＵ１４は、かかる表示制御プログラム１６０Ｅを実行することにより、表示制御手段として機能する。
【００６８】
パスワード入力プログラム１６０Ｆは、例えば、ＣＰＵ１４に、レイティング情報種別判断プログラム１６０Ｄを実行することにより、リモコンＲ２によって指定された予約番組のレイティング情報がアナログ放送のレイティング情報と異なるデジタル放送特有のレイティング情報であると判断され、表示部９に所定の警告表示として「この番組を録画すると視聴制限機能が解除されます。よろしいですか？」が表示されている際に、リモコンＲ１から「Ｙｅｓ」が選択された場合に、表示部９に、例えば、「録画予約する場合には、パスワードを設定して下さい。」等と表示させて、記録再生部１１におけるアナログ放送のレイティング情報と異なるデジタル放送特有のレイティング情報が付加された映像音声データの記憶媒体への記憶の予約を行う場合に、パスワード入力を促す機能を実現させるプログラムである。
【００６９】
予約処理プログラム１６０Ｇは、例えば、ＣＰＵ１４に、リモコンＲ２により指定された予約番組の番組情報をＥＰＧデータから取得して、予約データファイル１６０Ａに記憶させる機能を実現させるプログラムである。
より具体的には、予約処理プログラム１６０Ｇは、例えば、ＣＰＵ１４に、レイティング情報種別判断プログラム１６０Ｄを実行することにより、リモコンＲ２に指定された予約番組のレイティング情報がアナログ放送のレイティング情報と異なるデジタル放送特有のレイティング情報ではないと判断した場合に、当該予約番組の予約情報を予約データファイル１６０Ａに記憶させるとともに、ＣＰＵ１４に、レイティング情報種別判断プログラム１６０Ｄを実行することにより、リモコンＲ２に指定された予約番組のレイティング情報がアナログ放送のレイティング情報と異なるデジタル放送特有のレイティング情報であると判断した場合に、リモコンＲ２により入力されたパスワードがパスワードデータファイル１６０Ｂに記憶されているパスワードと一致した場合にのみ、当該予約番組の予約情報を予約データファイル１６０Ａに記憶させる機能を実現させるプログラムである。
ＣＰＵ１４は、かかる予約処理プログラム１６０Ｇを実行することにより予約手段として機能する。
【００７０】
次に、上述のような構成の本発明の第２の実施形態にかかるテレビジョン放送記録装置２００における予約動作を図５に示すフローチャートを参照しながら説明する。
まず、ＣＰＵ１４は、設定判断プログラム１６Ｂを実行することにより、レイティング設定データファイル１６Ａに当該テレビジョン放送記録装置１００において視聴を制限する視聴制限レベルのレイティング情報が記憶されているか否かを判断することにより、視聴制限設定がされているか否かを判断する（ステップＳ１０１）。
【００７１】
ステップＳ１０１において、ＣＰＵ１４が、視聴制限設定がされていないと判断した場合には（ステップＳ１０１；Ｎｏ）、ステップＳ１０９に進む。
ステップＳ１０１において、ＣＰＵ１４が、視聴制限設定がされていると判断した場合には（ステップＳ１０１；Ｙｅｓ）、ＣＰＵ１４は、放送種別判断プログラム１６Ｃを実行することにより、アンテナ１により受信され、デコーダ４により復号された番組のテレビジョン放送信号に含まれる番組情報を参照して、当該番組がデジタル放送によるものか否かを判断する（ステップＳ１０２）。
【００７２】
ステップＳ１０２において、ＣＰＵ１４が、アンテナ１により受信された番組がアナログ放送によるものと判断した場合には（ステップＳ１０２；Ｎｏ）、ステップＳ１０９に進む。
ステップＳ１０２において、ＣＰＵ１４が、アンテナ１により受信された番組がデジタル放送によるものと判断した場合には（ステップＳ１０２；Ｙｅｓ）、ＣＰＵ１４は、レイティング情報取得プログラム１６０Ｃを実行することにより、ＥＰＧデータを参照して、リモコンＲ２によって指定された予約番組にレイティング情報が付加されているか否かを判断する（ステップＳ１０３）。
【００７３】
ステップＳ１０３において、ＣＰＵ１４が、予約番組にレイティング情報が付加されていないと判断した場合には（ステップＳ１０３；Ｎｏ）、ステップＳ１０９に進む。
ステップＳ１０３において、ＣＰＵ１４が、予約番組にレイティング情報が付加されていると判断した場合には（ステップＳ１０３；Ｙｅｓ）、ＣＰＵ１４は、レイティング情報取得プログラム１６０Ｃの実行に基づいて当該レイティング情報をＥＰＧデータから取得し、レイティング情報種別判断プログラム１６０Ｄを実行することにより、取得したレイティング情報の名前，バージョンの有無等に基づいて、当該レイティング情報がアナログ放送のレイティング情報と異なるデジタル放送に特有のレイティング情報か否かを判断する（ステップＳ１０４）。
【００７４】
ステップＳ１０４において、ＣＰＵ１４が、リモコンＲ２により指定された予約番組に付加されたレイティング情報がデジタル放送に特有のものではないと判断した場合には（ステップＳ１０４；Ｎｏ）、ステップＳ１０９に進む。
ステップＳ１０４において、ＣＰＵ１４が、リモコンＲ２により指定された予約番組に付加されたレイティング情報がデジタル放送に特有のものであると判断した場合には（ステップＳ１０４；Ｙｅｓ）、ＣＰＵ１４は、表示制御プログラム１６０Ｅを実行することにより、制御部９を制御して、例えば、「この番組を録画すると視聴制限機能が解除されます。よろしいですか？」等の所定の警告表示を表示させる（ステップＳ１０５）。
【００７５】
次に、ＣＰＵ１４は、パスワード入力プログラム１６０Ｆを実行することにより、表示部９に所定の警告表示として「この番組を録画すると視聴制限機能が解除されます。よろしいですか？」が表示されている際に、リモコンＲ１から「Ｙｅｓ」が選択されたか否かを判断する（ステップＳ１０６）。
【００７６】
ステップＳ１０６において、ＣＰＵ１４が、リモコンＲ１から「Ｙｅｓ」が選択されなかったと判断した場合には（ステップＳ１０６；Ｎｏ）、本処理を終了する。
ステップＳ１０６において、ＣＰＵ１４が、リモコンＲ１から「Ｙｅｓ」が選択されなかったと判断した場合には（ステップＳ１０６；Ｎｏ）、ＣＰＵ１４は、パスワード入力プログラム１６０Ｆの実行に基づいて、表示部９に、例えば、「録画予約する場合には、パスワードを設定して下さい。」等と表示させて、パスワード入力を促す（ステップＳ１０７）。
【００７７】
次に、ＣＰＵ１４は、予約処理プログラム１６０Ｇを実行することにより、リモコンＲ２により入力されたパスワードがパスワードデータファイル１６０Ｂに記憶されているパスワードと一致するか否かを判断する（ステップＳ１０８）。
【００７８】
ステップＳ１０８において、ＣＰＵ１４が、リモコンＲ２により入力されたパスワードがパスワードデータファイル１６０Ｂに記憶されているパスワードと一致しないと判断した場合には（ステップＳ１０８；Ｎｏ）、本処理を終了する。
ステップＳ１０８において、ＣＰＵ１４が、リモコンＲ２により入力されたパスワードがパスワードデータファイル１６０Ｂに記憶されているパスワードと一致すると判断した場合には（ステップＳ１０８；Ｙｅｓ）、ＣＰＵ１４は、予約処理プログラム１６０Ｇの実行に基づいて、予約番組の予約情報を予約データファイル１６０Ａに記憶させる（ステップＳ１０９）。
【００７９】
以上に説明した本発明の第２の実施形態に係るテレビジョン放送記録装置２００によれば、リモコンＲ２により、記録再生部１１によって記憶媒体に記憶させる予約番組が指定され、ＣＰＵ１４が予約処理プログラム１６０Ｇを実行することにより、リモコンＲ２によって指定された予約番組の予約情報がＥＰＧ（Electric  Program  Guide）データから取得されて予約データファイル１６０Ａに記憶され、ＣＰＵ１４がレイティング情報取得プログラム１６０Ｃを実行することにより、リモコンＲ２によって指定された予約番組の視聴制限レベルに関するレイティング情報がＥＰＧデータから取得され、ＣＰＵ１４がレイティング情報種別判断プログラム１６０Ｄを実行することにより、レイティング情報取得プログラム１６０Ｃを実行することによって取得されたレイティング情報の種別が判断され、ＣＰＵ１４が予約処理プログラム１６０Ｇを実行することにより、レイティング情報種別判断プログラム１６０Ｄを実行することによって、リモコンＲ２によって指定された予約番組のレイティング情報が、アナログ放送のレイティング情報と異なるデジタル放送特有のレイティング情報であると判断された場合に、当該番組の予約情報を予約データファイル１６０Ａに記憶されないので、アナログ放送のレイティング情報と異なるデジタル放送特有のレイティング情報が付加された番組の予約情報は予約データファイル１６０Ａに記憶されないこととなって、視聴制限情報が重畳されることなく、アナログ放送のレイティング情報と異なるデジタル放送特有のレイティング情報が付加された番組の映像音声データが記憶媒体に記憶されることを防ぐことができ、デジタル放送特有のレイティング情報が付加された番組の映像音声データをアナログ式のデータとして記憶媒体に記憶するに際し、より確実に視聴制限することができる。
【００８０】
また、ＣＰＵ１４が表示制御プログラム１６０Ｅを実行することにより、レイティング情報種別判断プログラム１６０Ｄを実行することによって、リモコンＲ２によって指定された番組のレイティング情報が、アナログ放送のレイティング情報と異なるデジタル放送特有のレイティング情報であると判断された場合に、所定の警告表示が表示部９に表示されるので、アナログ放送のレイティング情報と異なるデジタル放送特有のレイティング情報が付加された番組の予約情報が予約データファイル１６０Ａに記憶されない場合であっても、表示部９に表示された所定の警告表示を視認することで、故障と誤認することを防ぐことができる。
【００８１】
また、リモコンＲ２により、パスワードが入力され、パスワードデータファイル１６０Ｂにより、パスワードが予め記憶され、ＣＰＵ１４が予約処理プログラム１６０Ｇを実行することにより、レイティング情報種別判断プログラム１６０Ｄを実行することによって、リモコンＲ２に指定された番組のレイティング情報が、アナログ放送のレイティング情報と異なるデジタル放送特有のレイティング情報であると判断された場合に、リモコンＲ２によって入力されたパスワードがパスワードデータファイル１６０Ｂに記憶されているパスワードと一致した場合にのみ、当該番組の予約情報を予約データファイル１６０Ａに記憶されるので、パスワードを入力できる者は、アナログ放送のレイティング情報と異なるデジタル放送特有のレイティング情報が付加された番組であっても予約できることとなって、より使い勝手がよい。
【００８２】
（第３の実施形態）
本発明の第３の実施形態に係るテレビジョン放送記録装置３００は、例えば、図６に示すように、記憶部１６１の構成のみが第１の実施形態にかかるテレビジョン放送記録装置１００と異なるので、同一の構成については同一の符号を付すとともに、その説明を省略する。
【００８３】
記憶部１６１は、例えば、プログラムやデータ等が予め記憶されている記録媒体（図示せず）を有しており、この記録媒体は、例えば、半導体メモリ等で構成されている。また、記憶部１６１は、ＣＰＵ１４がテレビジョン放送記録装置３００全体を制御する機能を実現させるための各種データ，各種処理プログラム，これらプログラムの実行により処理されたデータ等を記憶する。より具体的には、記憶部１６１は、例えば、図６に示すように、レイティング設定データファイル１６Ａ，レベル対応データファイル１６１Ａ，設定判断プログラム１６Ｂ，放送種別判断プログラム１６Ｃ，レイティング情報検出プログラム１６Ｄ，レイティング情報種別判断プログラム１６Ｅ，レベル判定プログラム１６１Ｂ，視聴制限情報重畳プログラム１６１Ｃ，録画制御プログラム１６１Ｄ等を格納している。
【００８４】
レベル対応データファイル１６１Ａは、例えば、従来のアナログ放送で使用されているレイティング情報により表される視聴制限レベルと、新たに制定されたデジタル放送に特有のレイティング情報により表される視聴制限レベルとの対応関係を記憶している。具体的には、レベル対応データファイル１６１Ａは、例えば、新たに制定されたデジタル放送に特有のレイティング情報における一の視聴制限レベルが、従来のアナログ放送で使用されているレイティング情報におけるどの視聴制限レベルに相当するかについての対応関係を記憶している。
レベル対応データファイル１６１Ａにおける対応関係は、予め当該デジタル放送記録装置３００の工場出荷時に設定されていてもよいし、ユーザにより設定されてもよい。また、レベル対応データファイル１６１Ａは、デジタル放送に特有のレイティング情報が変更された場合に、変更後のレイティング情報により表される視聴制限レベルと、従来のアナログ放送で使用されているレイティング情報により表される視聴制限レベルとの対応関係を設定できるように、書き換え可能となっている。
【００８５】
レベル判定プログラム１６１Ｂは、例えば、ＣＰＵ１４に、レイティング情報種別判断プログラム１６Ｅを実行することにより、番組のテレビジョン放送信号に含まれるレイティング情報が、アナログ放送のレイティング情報と異なるデジタル放送特有のレイティング情報であると判断した場合に、レベル対応データファイル１６１Ａに基づいて、デジタル放送特有のレイティング情報の視聴制限レベルに対応するアナログ式のレイティング情報の視聴制限レベルを判定する機能を実現させるプログラムである。ＣＰＵ１４は、かかるレベル判定プログラム１６１Ｂを実行することにより、判定手段として機能する。
【００８６】
視聴制限情報重畳プログラム１６１Ｃは、例えば、ＣＰＵ１４に、放送種別判断プログラム１６Ｃを実行することにより、デコーダ４により復号された番組のテレビジョン放送信号に含まれる番組情報を参照して、当該番組がデジタル放送によるものと判断し、レイティング情報種別判断プログラム１６Ｅを実行することにより、当該番組のテレビジョン放送信号に含まれるレイティング情報の種別がアナログ放送のレイティング情報と同じであると判断した場合に、当該レイティング情報に対応する視聴制限情報を当該映像音声データに重畳させる機能を実現させるプログラムである。
また、視聴制限情報重畳プログラム１６１Ｃは、例えば、ＣＰＵ１４に、レベル判定プログラム１６１Ｂを実行することにより判定した視聴制限レベルに対応する視聴制限情報を当該映像音声データに重畳させる機能を実現させるプログラムである。
ＣＰＵ１４は、かかる視聴制限情報重畳プログラム１６１Ｃを実行することにより、重畳手段として機能する。
【００８７】
録画制御プログラム１６１Ｄは、例えば、ＣＰＵ１４に、設定判断プログラム１６Ｂを実行することにより、視聴制限設定されていないと判断した場合、放送種別判断プログラム１６Ｃを実行することにより、番組がアナログ放送によるものと判断した場合、及び、レイティング情報検出プログラム１６Ｄを実行することにより、番組のテレビジョン放送信号にレイティング情報が含まれていないと判断した場合に、当該番組の映像音声データを記録媒体への記憶させるように、記録再生部１１を制御する機能を実現させるプログラムである。
また、録画制御プログラム１６１Ｄは、例えば、ＣＰＵ１４に、レイティング情報種別判断プログラム１６Ｅを実行することにより、番組のテレビジョン放送信号に含まれるレイティング情報の種別がアナログ放送のレイティング情報と同じであると判断した場合に、視聴制限情報重畳プログラム１６１Ｃを実行することによって視聴制限情報を重畳した番組の映像音声データを記録媒体への記憶させるように、記録再生部１１を制御する機能を実現させるプログラムである。
また、録画制御プログラム１６１Ｄは、例えば、ＣＰＵ１４に、レイティング情報種別判断プログラム１６Ｅを実行することにより、番組のテレビジョン放送信号に含まれるレイティング情報の種別がアナログ放送のレイティング情報と異なるデジタル放送特有のものであると判断した場合に、視聴制限情報重畳プログラム１６１Ｃを実行することによって、レベル判定プログラム１６１Ｂを実行することによって判定した視聴制限レベルの視聴制限情報を重畳した番組の映像音声データを記録媒体へ記憶させるように、記録再生部１１を制御する機能を実現させるプログラムである。
ＣＰＵ１４は、かかる録画制御プログラム１６１Ｄを実行することにより、記憶制御手段として機能する。
【００８８】
次に、上述のような構成のテレビジョン放送記録装置３００の映像音声データの記憶媒体への記憶動作について図７に示すフローチャートを参照しながら説明する。
まず、ＣＰＵ１４は、設定判断プログラム１６Ｂを実行することにより、レイティング設定データファイル１６Ａに当該テレビジョン放送記録装置１００において視聴を制限する視聴制限レベルのレイティング情報が記憶されているか否かを判断することにより、視聴制限設定がされているか否かを判断する（ステップＳ２０１）。
【００８９】
ステップＳ２０１において、ＣＰＵ１４が、視聴制限設定がされていないと判断した場合には（ステップＳ２０１；Ｎｏ）、ステップＳ２０７に進む。
ステップＳ２０１において、ＣＰＵ１４が、視聴制限設定がされていると判断した場合には（ステップＳ２０１；Ｙｅｓ）、ＣＰＵ１４は、放送種別判断プログラム１６Ｃを実行することにより、アンテナ１により受信され、デコーダ４により復号された番組のテレビジョン放送信号に含まれる番組情報を参照して、当該番組がデジタル放送によるものか否かを判断する（ステップＳ２０２）。
【００９０】
ステップＳ２０２において、ＣＰＵ１４が、アンテナ１により受信された番組がアナログ放送によるものと判断した場合には（ステップＳ２０２；Ｎｏ）、ステップＳ２０７に進む。
ステップＳ２０２において、ＣＰＵ１４が、アンテナ１により受信された番組がデジタル放送によるものと判断した場合には（ステップＳ２０２；Ｙｅｓ）、ＣＰＵ１４は、レイティング情報検出プログラム１６Ｄを実行することにより、検出部５を制御して、番組の映像音声データにレイティング情報が付加されているか否かを判断する（ステップＳ２０３）。
【００９１】
ステップＳ２０３において、ＣＰＵ１４が、番組の映像音声データにレイティング情報が付加されていないと判断した場合には（ステップＳ２０３；Ｎｏ）、ステップＳ２０７に進む。
ステップＳ２０３において、ＣＰＵ１４が、番組の映像音声データにレイティング情報が付加されていると判断した場合には（ステップＳ２０３；Ｙｅｓ）、ＣＰＵ１４は、レイティング情報種別判断プログラム１６Ｅを実行することにより、検出部５により検出されたレイティング情報の名前，バージョンの有無等に基づいて、当該レイティング情報がアナログ放送のレイティング情報と異なるデジタル放送に特有のレイティング情報か否かを判断する（ステップＳ２０４）。
【００９２】
ステップＳ２０４において、ＣＰＵ１４が、アンテナ１により受信された番組のテレビジョン放送信号に含まれるレイティング情報がアナログ放送と同じであると判断した場合には（ステップＳ２０４；Ｎｏ）、ステップＳ２０６に進む。
ステップＳ２０４において、ＣＰＵ１４が、アンテナ１により受信された番組のテレビジョン放送信号に含まれるレイティング情報がデジタル放送に特有のものであると判断した場合には（ステップＳ２０４；Ｙｅｓ）、ＣＰＵ１４は、レベル判定プログラム１６１Ｂを実行することにより、所定の基準に基づいて、デジタル放送特有のレイティング情報の視聴制限レベルに対応するアナログ式のレイティング情報の視聴制限レベルを判定する（ステップＳ２０５）。
【００９３】
次に、ＣＰＵ１４は、視聴制限情報重畳プログラム１６１Ｃを実行することにより、番組のテレビジョン放送信号に含まれるレイティング情報に対応する視聴制限情報、又は、レベル判定プログラム１６１Ｂを実行することにより判定した視聴制限レベルに対応する視聴制限情報を当該映像音声データに重畳させる（ステップＳ２０６）。
【００９４】
次に、ＣＰＵ１４は、録画制御プログラム１６Ｈを実行することにより、番組の映像音声データの記録媒体へ記憶させるように、記録再生部１１を制御する（ステップＳ２０７）。
【００９５】
以上に説明した本発明の第３の実施形態に係るテレビジョン放送記録装置３００によれば、ＣＰＵ１４がレイティング情報検出プログラム１６Ｄを実行することにより、検出部５が制御されて、アンテナ１によって受信された番組のテレビジョン放送信号から、当該番組の視聴制限レベルに関するレイティング情報が検出され、ＣＰＵ１４がレイティング情報種別判断プログラム１６Ｅを実行することにより、検出部５に検出されたレイティング情報の種別が判断され、ＣＰＵ１４がレベル判定プログラム１６１Ｂを実行することにより、レイティング情報種別判断プログラム１６Ｅを実行することによって、番組のテレビジョン放送信号に含まれるレイティング情報が、アナログ放送のレイティング情報と異なるデジタル放送特有のレイティング情報であると判断された場合に、所定の基準に基づいて、デジタル放送特有のレイティング情報の視聴制限レベルに対応するアナログ式のレイティング情報の視聴制限レベルが判定され、ＣＰＵ１４が視聴制限情報重畳プログラム１６１Ｃを実行することにより、レベル判定プログラム１６１Ｂを実行することによって判定されたアナログ式のレイティング情報の視聴制限レベルの視聴制限情報がデジタル放送特有のレイティング情報が付加された番組の映像音声データに重畳され、記録再生部１１により、視聴制限情報重畳プログラム１６１Ｃの実行によって視聴制限情報が重畳された映像音声データが記憶媒体に記憶されるので、アナログ放送のレイティング情報と異なるデジタル放送特有のレイティング情報が付加された番組の映像音声データであっても視聴制限情報が重畳されて記憶媒体に記憶できることとなって、デジタル放送特有のレイティング情報が付加された番組の映像音声データをアナログ式のデータとして記憶媒体に記憶するに際し、より確実に視聴制限することができる。
【００９６】
なお、本発明のテレビジョン放送記録装置は、映像音声信号に基づく映像及び音声の視聴を制限するものであれば何であってもよく、例えば、ＤＶＤやＶＨＳ等の記録再生を行う機能を有するデジタルテレビ、ＤＶＤやＶＨＳ等の記録再生を行う機能を有するセットトップボックス等であってもよい。
また、ＤＶＤやＶＨＳ等の記録再生を行う記録再生装置と、当該記録再生装置と接続されるデジタルテレビやセットトップボックス等とを備えるテレビジョン放送記録システムにも適用可能である。
【図面の簡単な説明】
【００９７】
【図１】本発明の第１の実施形態に係るテレビジョン放送記録装置の概略構成の一例を示す図である。
【図２】本発明の第１の実施形態に係るテレビジョン放送記録装置の構成を示すブロック図である。
【図３】本発明の第１の実施形態に係るテレビジョン放送記録装置における記録動作の一例を説明するフローチャートである。
【図４】本発明の第２の実施形態に係るテレビジョン放送記録装置の構成を示すブロック図である。
【図５】本発明の第２の実施形態に係るテレビジョン放送記録装置における予約動作の一例を説明するフローチャートである。
【図６】本発明の第３の実施形態に係るテレビジョン放送記録装置の構成を示すブロック図である。
【図７】本発明の第３の実施形態に係るテレビジョン放送記録装置における記憶動作の一例を説明するフローチャートである。
【符号の説明】
【００９８】
１  アンテナ（受信手段）
５  検出部（検出手段）
９  表示部
１１  記録再生部（記憶手段）
１４  ＣＰＵ（検出手段，レイティング情報種別判断手段，表示制御手段，記憶制御手段，予約手段，取得手段，判定手段，重畳手段）
１６Ｄ  レイティング情報検出プログラム（検出手段）
１６Ｅ，１６０Ｄ  レイティング情報種別判断プログラム（レイティング情報種別判断手段）
１６Ｇ，１６０Ｅ  表示制御プログラム（表示制御手段）
１６Ｈ  録画制御プログラム（記憶制御手段）
１６０  記憶部（予約記憶手段，暗証情報記憶手段）
１６０Ａ  予約データファイル（予約記憶手段）
１６０Ｂ  パスワードデータファイル（暗証情報記憶手段）
１６０Ｃ  レイティング情報取得プログラム（取得手段）
１６０Ｇ  予約処理プログラム（予約手段）
１６１Ｂ  レベル判定プログラム（判定手段）
１６１Ｃ  視聴制限情報重畳プログラム（重畳手段）
１００，２００，３００  テレビジョン放送記録装置
Ｒ１，Ｒ２  リモコン（指定手段，入力手段）
【図１】
2008103932.tif 000003
【図２】
2008103932.tif 000004
【図３】
2008103932.tif 000005
【図４】
2008103932.tif 000006
【図５】
2008103932.tif 000007
【図６】
2008103932.tif 000008
【図７】
2008103932.tif 000009